(57)【要約】【課題】高周波溶着加工性、透明性、柔軟性などの各種特性に優れた材料からなる新規な合成樹脂製ポケットを提供する。【解決手段】エチレン−メチルメタクリレート共重合体（ＥＭＭＡ）からなる略矩形状の基シート部１の表面に、エチレン−ビニルアセテート共重合体（ＥＶＡ）を中心層としその両面にポリエチレン（ＰＥ）の樹脂層を形成した透明な三層シート材からなる略矩形状の透明シート部２を重ね合わせ、それら両シート部１，２の三方の縁部同士を高周波ウエルダ溶着し、基シート部１と透明シート部２の間にポケット部４を形成し、且つ基シート部１の裏面側に接着剤層５を形成したポリオレフィン系樹脂製のポケットとした。【選択図】　図１
2004099123.tif 000002
【特許請求の範囲】
【請求項１】
ポリオレフィン系軟質合成樹脂材からなる基シート部の表面に、透明なポリオレフィン系軟質合成樹脂材からなる透明シート部を重ね合わせ、それら両シート部の三方の縁部同士を溶着して、上記基シート部と透明シート部の間にポケット部を形成し、且つ上記基シート部の裏面側に接着剤層を形成してなるポリオレフィン系樹脂製ポケット。
【請求項２】
前記基シート部が、エチレン−メチルメタクリレート共重合体の単層シート材からなることを特徴とする請求項１記載のポリオレフィン系樹脂製ポケット。
【請求項３】
前記透明シート部が、エチレン−ビニルアセテート共重合体を中心層とし、その両面にポリエチレンの樹脂層を形成した三層シート材からなることを特徴とする請求項１または２記載のポリオレフィン系樹脂製ポケット。
【請求項４】
前記基シート部の表面側に、平均粗さ１．０μｍ以上の凹凸を形成したことを特徴とする請求項１〜３の何れか１項記載のポリオレフィン系樹脂製ポケット。
【発明の詳細な説明】
【０００１】
【発明の属する技術分野】
本発明は、名札，名刺，タイトル用紙，伝票，仕様書，送り状，カタログなどの、所定の大きさの収容物を出し入れ自在に収容し、書類ケース，ＣＤケース，手帳カバー，ノート型ファイル，クリアーケース，包装箱，通い箱，荷箱などに貼り着けて使用するポケットに関する。
【０００２】
【従来の技術】
従来から、内部に書状，仕様書，名刺などを入れる袋体の裏面に接着剤層を形成し、包装箱などの外側に貼り着けて使用するようにしたポケットが知られている（例えば特許文献１、特許文献２、特許文献３参照）。
【０００３】
【特許文献１】
実公昭３７−２２２６７号公報（第１頁、第３図）
【特許文献２】
実公昭５１−１５６８１号公報（第１頁、第４図）
【特許文献３】
実開昭５０−４３０１１号公報（第１頁、第１〜２図）
【０００４】
これらポケットは、水などがかかって内部に収容した仕様書などが汚れたり破れたりすることを防止する、表面側を透明にすれば内部に収容した仕様書などが外側から見えるので用途が広がるなどの理由から袋体を合成樹脂製とすることが好ましく、さらに最近では、高周波溶着加工性（高周波ウエルダー性）、透明性、柔軟性などの各種特性に優れるポリ塩化ビニル樹脂からなるポケットが開発されている。
【０００５】
【発明が解決しようとする課題】
処で、ポリ塩化ビニルは前述した利点を有するものの、近年、環境問題などを理由に、ポリ塩化ビニルに代わる樹脂が種々提案されている。しかしながら、それら代替樹脂は高周波溶着加工性、透明性、柔軟性、滑り性などの何れかに難点がある等の事情から用途が限られ、ポリ塩化ビニルに代わる合成樹脂製のポケットは未だ開発されていない状況にある。
また、ポリ塩化ビニル樹脂製のポケットは、例えば書類ケース，ＣＤケース，手帳カバー，ファイルなどの合成樹脂からなる対象物に貼り着けて使用した場合、ポリ塩化ビニルに含まれる可塑剤が前記対象物に移行し該対象物の変色，変形などの問題が生じる虞れがある。
【０００６】
本発明はこのような従来事情に鑑みてなされたもので、その目的とする処は、高周波溶着加工性、透明性、柔軟性、滑り性などの各種特性に優れ、且つ合成樹脂からなる対象物に貼り着けて使用しても可塑剤移行による不具合が生じる虞れのない、新規な合成樹脂製ポケットを提供することにある。
【０００７】
【課題を解決するための手段】
以上の目的を達成するために本発明の請求項１に係るポケットは、ポリオレフィン系軟質合成樹脂材からなる基シート部の表面に、透明なポリオレフィン系軟質合成樹脂材からなる透明シート部を重ね合わせ、それら両シート部の三方の縁部同士を溶着して、上記基シート部と透明シート部の間にポケット部を形成し、且つ上記基シート部の裏面側に接着剤層を形成してなるポリオレフィン系樹脂製ポケットとしたことを特徴とする。
【０００８】
このような構成とした本発明のポケットは、基シート部と透明シート部がポリオレフィン系合成樹脂製の軟質シート材からなり、該軟質シート材は高周波溶着加工性に優れるので、基シート部と透明シート部を重ね合わせ、それら両シート部の三方の縁部同士を、高周波ウエルダーなどにより容易に溶着してポケット部を構成することができる。また前記軟質シート材は透明性、柔軟性、滑り性などの各種特性に優れるので、ポリ塩化ビニル樹脂製ポケットと同等若しくはそれ以上の機能を有し、且つ製造も容易なポリオレフィン系樹脂製ポケットを得ることができる。さらに、前記軟質シート材は、書類ケース，ＣＤケース，手帳カバー，ファイルなどの合成樹脂からなる対象物に貼り着けても、それら対象物に可塑剤が移行する虞れはない。
【０００９】
また本発明の請求項２に係るポケットは、前記基シート部が、エチレン−メチルメタクリレート共重合体（ＥＭＭＡ）の単層シート材からなることを特徴とし、請求項３に係るポケットは、前記透明シート部が、エチレン−ビニルアセテート共重合体（ＥＶＡ）を中心層とし、その両面にポリエチレン（ＰＥ）の樹脂層を形成した三層シート材からなることを特徴とする。
【００１０】
このような構成とした場合、上述した高周波溶着加工性、透明性、柔軟性、滑り性などの各種特性においてより顕著な効果を得ることができる。
【００１１】
また本発明の請求項４に係るポケットは、前記基シート部の表面側に、平均粗さ１．０μｍ以上の凹凸を形成したことを特徴とする。
【００１２】
このような構成とした場合、基シート部と透明シート部の密着をより効果的に防止することができるので、ポケット部に対する名刺，名札，タイトル用紙，伝票，仕様書，送り状，カタログなどの出し入れを、容易且つ確実に行うことができるようになる。
【００１３】
【発明の実施の形態】
以下、本発明に係るポリオレフィン系樹脂製ポケットの実施形態の一例を図面を参照して説明する。
本例のポケットＡは、図１，図２に示すように、基シート部１の表面側に透明シート部２を重ね合わせ、それら両シート部１，２の三方の縁部同士を溶着して、基シート部１と透明シート部２の間にポケット部４を形成し、且つ基シート部１の裏面側に接着剤層５を形成してなるもので、接着剤層５は剥離自在な剥離紙６により覆われている。
【００１４】
基シート部１は、ポリオレフィン系軟質合成樹脂からなる０．１〜０．５ｍｍ程度の厚さのシート材で、詳しくは、エチレン−メチルメタクリレート共重合体からなる単層シート材を、所定寸法の略矩形状、本例にあっては名刺大の大きさに裁断したものである。
【００１５】
透明シート部２は、ポリオレフィン系軟質合成樹脂からなる０．１〜０．５ｍｍ程度の厚さのシート材で、詳しくは、エチレン−ビニルアセテート共重合体を中心層とし、その両面にポリエチレンの樹脂層を形成した三層シート材を、所定寸法の略矩形状、本例にあっては名刺大の大きさに裁断したものである。
【００１６】
このような基シート部１と透明シート部２を重ねてその三方の縁部同士を、高周波ウエルダー等による高周波溶着またはヒートシーラ等による加熱溶着により溶着接合して、溶着縁３ａ，３ｂ，３ｃを形成すると共に基シート部１と透明シート部２の間に、名刺，名札，タイトル用紙などの収容物Ｂを収容可能な適宜寸法のポケット部４を形成し、そのポケット部４に対し、溶着されない残る一方の開口縁３ｄ側から前記収容物Ｂを出し入れ自在に収容し得るよう構成する。
【００１７】
また、上記基シート部１の表面側には、エンボス処理などにより平均粗さ１．０μｍ以上の梨地模様の凹凸を形成して、基シート部１と透明シート部２が密着しないと共に前記収容物Ｂの滑りが良くなるようにして、ポケット部４に対する収容物Ｂの出し入れがスムーズになされるよう構成する。
【００１８】
以上のように構成した本例のポケットＡは、基シート部１裏面の剥離紙６を剥して接着剤層５を露出させた後、例えばクリアファイルや書類ケースなどの貼り着け対象物Ｃに貼り着け、ポケット部４に名刺、名札、タイトル用紙などを差し込んで収容し、収容された名刺、名札、タイトル用紙などに表示された社名、氏名、タイトルなどの各種情報を、透明シート部２を介して視認することができる。
【００１９】
以上、本発明の実施形態の一例を図面を参照して説明したが、本発明に係るポリオレフィン系樹脂製ポケットの構成は該例に限定されるものではなく、請求項１〜４に記載された技術的思想の範疇において種々の変更が可能であり、且つその用途なども図示例に限定されるものではなく、収容物Ｂや貼り着け対象物Ｃの形状、大きさなどに合わせて適宜大きさ、形状に形成可能であることは言うまでもない。
【００２０】
【発明の効果】
本発明に係るポリオレフィン系樹脂製ポケットは以上説明したように構成したので、以下に記載されるような効果を奏する。
（請求項１）
高周波溶着加工性、透明性、柔軟性、滑り性などの各種特性に優れるポリオレフィン系軟質合成樹脂により基シート部と透明シート部を形成し、これらシート部を重ねて三方の縁部を溶着しポケット部を構成したので、ポリ塩化ビニル樹脂製ポケットと同等若しくはそれ以上の機能を有し且つ製造も容易で低コストで作製でき、しかも書類ケース，ＣＤケース，手帳カバー，ファイルなどの合成樹脂からなる対象物に貼り着けてもそれら対象物に可塑剤が移行する虞れのない、新規なポリオレフィン系樹脂製ポケットを提供し得た。
【００２１】
（請求項２、３）
基シート部をエチレン−メチルメタクリレート共重合体の単層シート材とし、透明シート部をエチレン−ビニルアセテート共重合体を中心層としその両面にポリエチレンの樹脂層を形成した三層シート材としたので、上述した高周波溶着加工性、透明性、柔軟性、滑り性などの各種特性においてより顕著な効果を得ることができる。よって、請求項１による前述の効果をより実効あるものとし得る。
【００２２】
（請求項４）
基シート部の表面側に平均粗さ１．０μｍ以上の凹凸を形成したので、基シート部と透明シート部がくっつかず滑りも良く、ポケット部に対する名刺，名札，タイトル用紙，伝票，仕様書，送り状，カタログなどの出し入れを容易且つ確実に行うことができ、使用性に極めて優れたポリオレフィン系樹脂製ポケットを提供し得た。
【図面の簡単な説明】
【図１】本発明に係るポリオレフィン系樹脂製ポケットの斜視図。
【図２】図１の要部を拡大して示す断面図。
【図３】使用状態の一例を示す斜視図。
【符号の説明】
Ａ：ポリオレフィン系樹脂製ポケット
１：基シート部
２：透明シート部
３：溶着縁
４：ポケット部
５：接着剤層
６：剥離紙
Ｂ：収容物
Ｃ：貼り着け対象物
【図１】
2004099123.tif 000003
【図２】
2004099123.tif 000004
【図３】
2004099123.tif 000005